(57)【要約】【課題】エネルギーの消費量の低減をより実現できる車両用除湿装置を提供する。【解決手段】本発明の車両用除湿装置は、フラップ１４を有するダクト１と、第１、２熱交換器３、５と、電熱ヒータ３４ａと、デシカント除湿機７と、第３熱交換器９とを備えている。第３熱交換器９の外気導入路３２は内気取入口１３ａ及び外気取入口１２ａ以外で車室外に連通している。乾燥空気導出路３３及び加熱外気導出路３８は送風口１１ａに連通している。再生空気導入路３４は第１、２熱交換器３、５より下流側で空気流路１５に連通している。第３熱交換器９の冷却吸湿空気導出路３９は車室外に連通している。【選択図】図２
2010260472.tif 000002
【特許請求の範囲】
【請求項１】
内気を取り入れ可能な内気取入口と、外気を取り入れ可能な外気取入口と、該内気取入口及び該外気取入口の下流に位置する空気流路と、該内気取入口又は該外気取入口を該空気流路に連通させるフラップと、該フラップの下流で該空気流路と連通して車室内に開く送風口とが形成されたダクトと、
該空気流路に設けられ、周りの空気を加熱可能な熱源と、
デシカントロータと、調湿空気を該デシカントロータに導入する調湿空気導入路と、該デシカントロータにより除湿された乾燥空気を導出する乾燥空気導出路と、再生空気を該デシカントロータに導入する再生空気導入路と、該デシカントロータから吸湿した吸湿空気を導出する吸湿空気案内路とを有するデシカント除湿機と、
前記内気取入口及び前記外気取入口以外で車室外に連通し、外気を取り入れ可能な外気導入路と、該吸湿空気案内路と、該吸湿空気案内路内の該吸湿空気から熱量を得た加熱外気を導出する加熱外気導出路と、該外気導入路内の該外気に熱量を与えた冷却吸湿空気を導出する冷却吸湿空気導出路とを有する熱交換器とを備え、
前記乾燥空気導出路及び該加熱外気導出路は前記送風口に連通し、前記再生空気導入路は前記熱源より下流側で前記空気流路に連通し、該冷却吸湿空気導出路は車室外に連通していることを特徴とする車両用除湿装置。
【請求項２】
前記熱源は、熱交換媒体を流入させる第１流入口及び該熱交換媒体を流出させる第１流出口が形成され、該熱交換媒体が周りの空気と熱交換を行う熱交換器であり、
該熱交換媒体に熱交換可能な蓄熱材を有し、該熱交換媒体を流出させる第２流出口及び該熱交換媒体を流入させる第２流入口が形成された蓄熱装置と、
該第１流出口と該第２流入口とを接続し、該第２流出口と該第１流入口とを接続する配管とを備えている請求項１記載の車両用除湿装置。
【請求項３】
前記蓄熱装置は断熱されている請求項２記載の車両用除湿装置。
【請求項４】
前記蓄熱装置は、車両の排熱を蓄熱するものである請求項２又は３記載の車両用除湿装置。
【発明の詳細な説明】
【技術分野】
【０００１】
本発明は車両用除湿装置に関する。
【背景技術】
【０００２】
特許文献１に従来の車両用除湿装置が開示されている。この車両用除湿装置は、ダクトと、熱源と、デシカント除湿機とを備えている。
【０００３】
ダクトには、二つの取入口と、両取入口の下流に位置し、両取入口と連通する空気流路と、空気流路の下流に位置して空気流路と連通する二つの送風口とが形成されている。各取入口は、内気を取り入れ可能であったり、外気を取り入れ可能であったりするものである。一方の送風口は車内に連通可能であり、他方の送風口は車外に連通可能である。空気流路は、一方の取入口及び一方の送風口に連通する部分と、他方の取入口及び他方の送風口に連通する部分とに仕切り板によって仕切られている。
【０００４】
熱源は、ペルチェモジュールであり、周りの空気を加熱可能な放熱部と、周りの空気から吸熱可能な吸熱部とを有している。熱源は、ダクト内において、空気流路と送風口との間に位置している。放熱部は一方の取入口に連通する空気流路の一方に位置し、吸熱部は他方の取入口に連通する空気流路の他方に位置している。
【０００５】
デシカント除湿機は、デシカントロータと、調湿空気をデシカントロータに導入する調湿空気導入路と、デシカントロータにより除湿された乾燥空気を導出する乾燥空気導出路と、再生空気をデシカントロータに導入する再生空気導入路と、デシカントロータから吸湿した吸湿空気を導出する吸湿空気案内路とを有している。デシカントロータは、ダクト内において、熱源の直後に位置している。一方の取入口に連通する空気流路の一部が調湿空気導入路とされており、一方の送風口に連通する空気流路の一部が乾燥空気導出路とされており、他方の取入口に連通する空気流路の一部が再生空気導入路とされており、他方の送風口に連通する空気流路の一部が吸湿空気案内路とされている。
【０００６】
上記のように構成された車両用除湿装置では、一方の取入口から取り入れた空気が調湿空気導入路を経て熱源に至り、その吸熱部によって冷却されつつ調湿空気とされる。調湿空気は、デシカントロータに導入され、除湿されて乾燥空気となる。乾燥空気は、乾燥空気導出路を経て、一方の送風口から車内に供給される。こうして、乾燥空気を車内に供給することが可能になっている。
【０００７】
また、他方の取入口から取り入れた空気が再生空気導入路を経て熱源に至り、その放熱部によって加熱されつつ再生空気とされる。再生空気は、デシカントロータに導入され、吸湿を行い、吸湿空気とされる。吸湿空気は、吸湿空気案内路を経て、他方の送風口から車外に放出される。こうして、デシカントロータの吸湿能力を回復することが可能になっている。
【０００８】
この場合、この車両用除湿装置では、従来の冷凍サイクルとエンジンの排熱とにより車室内の空調を行う車両用除湿装置に比べ、エネルギーの消費量の低減を実現している。
【先行技術文献】
【特許文献】
【０００９】
【特許文献１】特開２０００−１４６２２０号公報
【発明の概要】
【発明が解決しようとする課題】
【００１０】
しかし、デシカント除湿機を用いた除湿装置においては、温度が高い再生空気ほど、再生能力が高いことが知られている。この点、上記従来の車両用除湿装置では、車両用除湿装置内に取り入れる空気について、内気又は外気の限定がない。このため、例えば、冬季において、冷たい外気をデシカントロータの再生空気に用いた場合、外気を加熱して再生空気とするため、熱源が多くのエネルギーを消費してしまう。
【００１１】
本発明は、上記従来の実情に鑑みてなされたものであって、エネルギーの消費量の低減をより実現できる車両用除湿装置を提供することを解決すべき課題としている。
【課題を解決するための手段】
【００１２】
本発明の車両用除湿装置は、内気を取り入れ可能な内気取入口と、外気を取り入れ可能な外気取入口と、該内気取入口及び該外気取入口の下流に位置する空気流路と、該内気取入口又は該外気取入口を該空気流路に連通させるフラップと、該フラップの下流で該空気流路と連通して車室内に開く送風口とが形成されたダクトと、
該空気流路に設けられ、周りの空気を加熱可能な熱源と、
デシカントロータと、調湿空気を該デシカントロータに導入する調湿空気導入路と、該デシカントロータにより除湿された乾燥空気を導出する乾燥空気導出路と、再生空気を該デシカントロータに導入する再生空気導入路と、該デシカントロータから吸湿した吸湿空気を導出する吸湿空気案内路とを有するデシカント除湿機と、
前記内気取入口及び前記外気取入口以外で車室外に連通し、外気を取り入れ可能な外気導入路と、該吸湿空気案内路と、該吸湿空気案内路内の該吸湿空気から熱量を得た加熱外気を導出する加熱外気導出路と、該外気導入路内の該外気に熱量を与えた冷却吸湿空気を導出する冷却吸湿空気導出路とを有する熱交換器とを備え、
前記乾燥空気導出路及び該加熱外気導出路は前記送風口に連通し、前記再生空気導入路は前記熱源より下流側で前記空気流路に連通し、該冷却吸湿空気導出路は車室外に連通していることを特徴とする（請求項１）。
【００１３】
本発明の車両用除湿装置では、調湿空気は、デシカントロータに導入され、除湿されて乾燥空気となる。乾燥空気は、乾燥空気導出路を経て、送風口から車内に供給される。こうして、乾燥空気を車内に供給することが可能になっている。
【００１４】
また、この車両用除湿装置では、ダクトに内気取入口と外気取入口とが形成され、内気取入口と外気取入口との下流に空気流路が形成されている。そして、内気取入口又は外気取入口がフラップによって空気流路に連通する。このため、内気取入口又は外気取入口から内気又は外気が空気流路に取り入れられる。その内気又は外気は、空気流路の下流にある熱源において、加熱される。そして、熱源より下流側の空気流路に再生空気導入路が連通している。このため、加熱された内気又は外気が再生空気とされ、その再生空気がデシカントロータに導入される。再生空気はデシカントロータで吸湿を行って吸湿空気とされ、吸湿空気は吸湿空気案内路を経て熱交換器に至る。なお、デシカントロータの再生のためには再生空気が８０°Ｃ以上であることが好ましいと言われている。
【００１５】
一方、この車両用除湿装置では、熱交換器が内気取入口及び外気取入口以外で車室外に連通する外気導入路を有しているため、ダクトを経ない外気が熱交換器に至る。
【００１６】
熱交換器においては、高温の吸湿空気と低温の外気との熱交換が行われ、吸湿空気から奪った熱量が外気に供給される。熱量が奪われた冷却吸湿空気は冷却吸湿空気導出路により車外に放出される。吸湿空気から熱量が供給された加熱外気は加熱外気導出路により乾燥空気とともに送風口から車室内に送られる。
【００１７】
こうして、この車両用除湿装置では、デシカントロータによって除湿された乾燥空気と加熱外気とで車室内の暖房を行うと共に、再生空気によってデシカントロータの吸湿能力を回復させることが可能になっている。
【００１８】
また、この車両用除湿装置では、ダクトの内気取入口又は外気取入口がフラップによって空気流路に連通可能であり、ダクト内に取り入れる空気について、内気又は外気を選択することが可能である。このため、例えば、冬季において、暖かい内気をデシカントロータの再生空気に用いれば、熱源が多くのエネルギーを消費しない。そして、温度の高い再生空気によってデシカントロータの吸湿能力を効率よく回復することが可能になる。
【００１９】
したがって、本発明の車両用除湿装置では、エネルギーの消費量の低減をより実現することが可能になっている。
【００２０】
本発明の車両用除湿装置では、熱源として、電力を消費して熱量を生じる電熱ヒータ等を採用することも可能である。また、熱源は、再生能力の高い再生空気を作り出すことが可能であれば、その数は限定されない。
【００２１】
本発明の車両用除湿装置では、熱源は、熱交換媒体を流入させる第１流入口及び熱交換媒体を流出させる第１流出口が形成され、熱交換媒体が周りの空気と熱交換を行う熱交換器であることが好ましい。そして、この車両用除湿装置は、熱交換媒体に熱交換可能な蓄熱材を有し、熱交換媒体を流出させる第２流出口及び熱交換媒体を流入させる第２流入口が形成された蓄熱装置と、第１流出口と第２流入口とを接続し、第２流出口と第１流入口とを接続する配管とを備えていることが好ましい（請求項２）。この場合には、蓄熱装置の蓄熱材が蓄えた熱量を熱交換器で熱交換媒体に付与し、本発明の作用効果を奏することが可能である。このため、熱源として電力を消費する電熱ヒータを必ずしも必要とせず、エネルギーの消費量の低減をより実現することが可能である。
【００２２】
本発明の車両用除湿装置において、蓄熱装置は断熱されていることが好ましい（請求項３）。この場合には、蓄熱装置から無駄な熱量の放出を防止することができ、長時間に亘って車室内の暖房を行うことが可能になる。
【００２３】
本発明の車両用除湿装置において、蓄熱装置は、車両の排熱を蓄熱するものであることが好ましい（請求項４）。この場合には、車両が無駄に廃棄する熱量で車室内の暖房を実現することができ、より効率的である。
【図面の簡単な説明】
【００２４】
【図１】実施例の車両用除湿装置の模式断面図である。
【図２】実施例の車両用除湿装置に係り、部分換気を行った場合の模式断面図である。
【図３】実施例の車両用除湿装置における部分換気を説明する模式構造図である。
【発明を実施するための形態】
【００２５】
以下、本発明を具体化した実施例を図面を参照しつつ説明する。
【００２６】
（実施例）
実施例の車両用除湿装置は、ハイブリッド車又は電気自動車に搭載されている。この車両用除湿装置は、図１及び図２に示すように、ダクト１と、第１熱交換器３と、第２熱交換器５と、電熱ヒータ３４ａと、デシカント除湿機７と、第３熱交換器９とを備えている。
【００２７】
ダクト１は、筒状の本体１１と、本体１１の上流側で２本に分岐された筒状の枝管１２、１３とを有している。一方の枝管１２の先端は車両の外部に開いた外気取入口１２ａとされており、他方の枝管１３の先端は車室内に開いた内気取入口１３ａとされている。枝管１２、１３の分岐部分にはフラップ１４が設けられている。
【００２８】
本体１１内が空気流路１５とされている。フラップ１４は、外気取入口１２ａを空気流路１５に連通したり、内気取入口１３ａを空気流路１５に連通したり、外気取入口１２ａ及び内気取入口１３ａを空気流路１５に連通したりできるようになっている。空気流路１５内には、フラップ１４の下流に電動ブロワ１６が設けられている。また、空気流路１５の下流には、車室内に開く送風口１１ａが形成されており、送風口１１ａのやや上流には電動ブロワ１７が設けられている。
【００２９】
この車両用除湿装置は、熱源として、第１、２熱交換器３、５及び電熱ヒータ３４ａを備えている。第１熱交換器３には配管１８によって排熱回収装置１９が接続されている。排熱回収装置１９は、車両で生じる排熱、例えばインバータ周りの排熱、モータ周りの排熱等を熱交換媒体としての水に対して熱交換によって回収している蓄熱装置である。第１熱交換器３における配管１８との接続部分が第１流入口３ａ及び第１流出口３ｂである。
【００３０】
第２熱交換器５には配管２０、２１によって蓄熱装置２２、２３が接続されている。第２熱交換器５における配管２０との接続部分は第１流入口５ａ及び第１流出口５ｂである。蓄熱装置２２、２３は、熱量を蓄えることが可能な蓄熱材を有している。蓄熱装置２２、２３は、周囲が断熱されており、蓄熱材の熱量は熱交換媒体としての水に熱交換可能になっている。配管２０は第２熱交換器５と蓄熱装置２２とを接続しており、配管２１は配管２０と蓄熱装置２３とを接続している。配管２０における蓄熱装置２２の近くには開閉弁２２ａ、２２ｂが設けられている。また、配管２１における蓄熱装置２３の近くには開閉弁２３ａ、２３ｂが設けられている。蓄熱装置２２における配管２０との接続部分が第２流入口２２ｃ及び第２流出口２２ｄである。蓄熱装置２３における配管２１との接続部分が第２流入口２３ｃ及び第２流出口２３ｄである。
【００３１】
ダクト１の本体１１にはデシカント除湿機７及び第３熱交換器９が設けられている。デシカント除湿機７は、公知のデシカントロータ３１と、調湿空気をデシカントロータ３１に導入する調湿空気導入路３６と、デシカントロータ３１により除湿された乾燥空気を導出する乾燥空気導出路３３とを有している。なお、調湿空気とは、車室内の空調に用いる空気であり、デシカントロータ３１に導入する前の状態の空気をいう。デシカントロータ３１は、図３に示すように、吸湿側３１ａと再生側３１ｂとからなり、これらは回転によって入れ替わるようになっている。
【００３２】
また、図１及び図２に示すように、デシカント除湿機７は、再生空気をデシカントロータ３１に導入する再生空気導入路３４と、デシカントロータ３１から吸湿した吸湿空気を導出する吸湿空気案内路３５とを有している。再生空気導入路３４内には電熱ヒータ３４ａが設けられている。
【００３３】
デシカント除湿機７において、調湿空気導入路３６及び再生空気導入路３４は、デシカントロータ３１の上流に設けられている。また、乾燥空気導出路３３及び吸湿空気案内路３５は、デシカントロータ３１の下流に設けられている。なお、上流及び下流とは、上述の空気流路１５における上流及び下流と同義である。
【００３４】
第３熱交換器９は、図３に示すように、吸湿空気と外気との間で熱交換を行うようになっている。すなわち、第３熱交換器９は、内気取入口１３ａ及び外気取入口１２ａ以外で車室外に連通し、外気を取り入れ可能な外気導入路３２と、吸湿空気案内路３５と、吸湿空気案内路３５内の吸湿空気から熱量を得た加熱外気を導出する加熱外気導出路３８と、外気導入路３２内の外気に熱量を与えた冷却吸湿空気を導出する冷却吸湿空気導出路３９とを有している。
【００３５】
乾燥空気導出路３３及び加熱外気導出路３８は送風口１１ａに連通している。また、再生空気導入路３４は第１、２熱交換器３、５より下流側で空気流路１５と連通している。そして、冷却吸湿空気導出路３９は車室外に連通している。
【００３６】
このように構成された車両用除湿装置では、冬季において、次のように車室内の暖房を行う。この様子を図１〜３に基づいて説明する。なお、図中、実線で示す矢印は暖かい空気の流れを示し、破線で示す矢印は冷たい空気の流れを示している。
【００３７】
まず、車両が駐車場に駐車されている間、蓄熱装置２２、２３内の蓄熱材に正の熱量が蓄えられる。そして、車両が走行する。この間、走行初期においては、車両の排熱が少ないので、開閉弁２２ａ、２２ｂ又は開閉弁２３ａ、２３ｂが開けられ、蓄熱装置２２、２３内の温水が配管２０、２１により第２熱交換器５に供給される。蓄熱装置２２、２３は、断熱されているので、無駄な熱量の放出を生じ難く、長時間に亘って車室内の暖房を行うことが可能になる。
【００３８】
一方、車両が多くの排熱を生じるようになれば、開閉弁２２ａ、２２ｂ又は開閉弁２３ａ、２３ｂが閉じられ、排熱回収装置１９内の温水が第１熱交換器３に供給される。このため、車両が無駄に廃棄する熱量で車室内の暖房を実現することができ、より効率的である。
【００３９】
以下、具体的に説明する。すなわち、図１に示すように、フラップ１４が中間位置にあるとき、電動ブロワ１６を作動させることにより、内気取入口１３ａ及び外気取入口１２ａから内気及び外気を空気流路１５内へ取り入れる。内気及び外気は、空気流路１５内で第１、２熱交換器３、５によって加熱され、調湿空気とされる。
【００４０】
調湿空気は、調湿空気導入路３６でデシカントロータ３１の吸湿側３１ａ（図３参照）に導入され、除湿されて乾燥空気となる。乾燥空気は、乾燥空気導出路３３を経て、送風口１１ａから車内に供給される。こうして、乾燥空気を車内に供給することが可能になっている。
【００４１】
また、第１、２熱交換器３、５によって加熱された内気及び外気の一部は、再生空気導入路３４に送られ、電熱ヒータ３４ａによって加熱され、再生空気となる。再生空気は、デシカントロータ３１の再生側３１ｂ（図３参照）に導入される。この間、再生空気は、無駄に周囲に熱量を放出することなく、再生能力を高く維持したままデシカントロータ３１に導入される。デシカントロータ３１に導入された再生空気は、デシカントロータ３１で吸湿を行って吸湿空気とされ、吸湿空気案内路３５を経て第３熱交換器９に至る。
【００４２】
第３熱交換器９においては、外気導入路３２から低温の外気が直接取り入れられるとともに、吸湿空気案内路３５から高温の吸湿空気が取り入れられる。そして、高温の吸湿空気と低温の外気との熱交換が行われ、吸湿空気から奪った熱量が外気に供給される。熱量が奪われた冷却吸湿空気は冷却吸湿空気導出路３９により車外に放出される。吸湿空気から熱量が供給された加熱外気は加熱外気導出路３８により乾燥空気とともに空気流路１５に至り、電動ブロワ１７により送風口１１ａから車室内に送られる。
【００４３】
こうして、この車両用除湿装置では、デシカントロータ３１によって除湿された乾燥空気と加熱外気とで車室内の暖房を行うと共に、再生空気によってデシカントロータ３１の吸湿能力を回復させることが可能になっている。
【００４４】
図２に示すように、フラップ１４が外気取入口１２ａと空気流路１５との連通を遮断すると、空気流路１５には内気のみが取り入れられる。その内気は、暖房用として車室内で用いられており、既に熱量が高い状態にある。この内気を第１、２熱交換器３、５及び電熱ヒータ３４ａで加熱して再生空気とする。換言すれば、低温の外気が再生空気として用いられることがない。この場合、加熱に用いるエネルギーの消費量を低くしても、再生能力の高い再生空気が得られる。
【００４５】
したがって、この車両用除湿装置では、エネルギーの消費量の低減をより実現することが可能になっている。特に、この車両用除湿装置では、排熱回収装置１９と接続された第１熱交換器３と、蓄熱装置２２、２３と接続された第２熱交換器５とを熱源として採用しているため、エネルギーの消費量の低減が顕著である。
【００４６】
以上において、本発明を実施例に即して説明したが、本発明は上記実施例に制限されるものではなく、その趣旨を逸脱しない範囲で適宜変更して適用できることはいうまでもない。例えば、熱源として、電熱ヒータを採用することも可能である。
【００４７】
また、排熱回収装置１９と接続された第１熱交換器３と、蓄熱装置２２、２３と接続された第２熱交換器５との両方を用いる必要はなく、例えば、排熱回収装置１９に接続された第１熱交換器３を省略し、排熱回収装置１９を第２熱交換器５に直接接続したり、配管１８を配管２０に接続することによって第２熱交換器５に接続させてもよい。
【産業上の利用可能性】
【００４８】
本発明は車両用空調装置に利用可能である。
【符号の説明】
【００４９】
１３ａ…内気取入口
１２ａ…外気取入口
１５…空気流路
１４…フラップ
１１ａ…送風口
１…ダクト
３、５、３４ａ…熱源（３…第１熱交換器、５…第２熱交換器、３４ａ…電熱ヒータ）
３１…デシカントロータ
３６…調湿空気導入路
３３…乾燥空気導出路
３４…再生空気導入路
３５…吸湿空気案内路
７…デシカント除湿機
３２…外気導入路
３８…加熱外気導出路
３９…冷却吸湿空気導出路
９…熱交換器（第３熱交換器）
３ａ、５ａ…第１流入口
３ｂ、５ｂ…第１流出口
２２ｃ、２３ｃ…第２流入口
２２ｄ、２３ｄ…第２流出口
１９、２２、２３…蓄熱装置（１９…排熱回収装置）
１８、２０、２１…配管
【図１】
2010260472.tif 000003
【図２】
2010260472.tif 000004
【図３】
2010260472.tif 000005